(57)【要約】【課題】簡易に製造できるうえ、分離すべき部材を爆轟の小さな衝撃で確実に任意の形状に分離することができ、爆轟の衝撃や残渣の飛散で搭載機器を破損することがない、簡便な、部材の分離装置を提供する。【解決手段】部材の分離装置１は、分離すべき部材１１ａ・１１ｂの分離端１０ａ・１０ｂ同士を跨ぐ接続板１３が、分離端１０ａ・１０ｂに添う脆弱部１２を有しており、分離端１０ａ・１０ｂ同士を跨ぎ接続板１３へ向いた溝１９が設けられている留具１４ａと、別な留具１４ｂとが夫々、分離すべき部材１１ａ・１１ｂに、該接続板１３を介して結合されており、起爆装置２０へ繋がっている導爆線１６が、樹脂１７により溝１９に埋没している。【選択図】          図１
2004224298.tif 000002
【特許請求の範囲】
【請求項１】
分離すべき部材の分離端同士を跨ぐ接続板が、該分離端に添う脆弱部を有しており、該分離端同士を跨ぎ該接続板へ向いた溝が設けられている留具と、別な留具とが夫々、該分離すべき部材に、該接続板を介して結合されており、起爆装置へ繋がっている導爆線が、弾性樹脂により該溝に埋没していることを特徴とする部材の分離装置。
【請求項２】
該弾性樹脂が、シリコーン樹脂であることを特徴とする請求項１に記載の部材の分離装置。
【請求項３】
該導爆線を載置した該溝に、該シリコーン樹脂を充填して成型することにより、該埋没がされていることを特徴とする請求項２に記載の部材の分離装置。
【発明の詳細な説明】
【０００１】
【発明の属する技術分野】
本発明は、遠隔操作によって、ロケットや人工衛星から分離される部材に、取付けられる分離装置に関するものである。
【０００２】
【従来の技術】
宇宙用ロケットや人工衛星に搭載された測定機器等を覆っている分離可能な外殻カプセルが切り離されるフェアリング分離のために、爆破線を用いた分離装置が用いられる。
【０００３】
このような分離装置として、以下のような特許文献がある。
【特許文献１】
特表２００２−５０８５０２号公報
【０００４】
この
【特許文献１】には、外殻カプセル同士の分離端を跨ぐ二重の接続板でカプセルが繋ぎ留められ、導爆線が挿入されて押し潰されている金属管をこの二重の接続板の間に収納している装置が、開示されている。
【０００５】
また、本出願人は、既に特願２００２−２１４１２２号において、外殻カプセル同士が、その分離端を跨ぎ脆弱部を有する接続板で繋ぎ留められ、導爆線を挿入して押し潰された金属管が、接続板へ向く溝に、填め込まれている分離装置を、出願している。
【０００６】
このような金属管への導爆線の挿入や、金属管の押し潰しの工程は面倒である。また、導爆線の爆轟で金属管を押し広げることにより接続板を破断するので爆轟の衝撃が大きすぎる。破片を飛散させず、さらに搭載機器を破損させないために、できるだけ爆轟の衝撃を小さくする必要がある。
【０００７】
【発明が解決しようとする課題】
本発明は前記の課題を解決するためになされたもので、簡易に製造できるうえ、分離すべき部材を爆轟の小さな衝撃で確実に任意の形状に分離することができ、爆轟の衝撃や残渣の飛散で搭載機器を破損することがない、簡便な、部材の分離装置を提供することを目的とする。
【０００８】
【課題を解決するための手段】
前記の目的を達成するためになされた本発明の部材の分離装置１は、実施例に対応する図１を参照して説明すると、分離すべき部材１１ａ・１１ｂの分離端１０ａ・１０ｂ同士を跨ぐ接続板１３が、分離端１０ａ・１０ｂに添う脆弱部１２を有しており、分離端１０ａ・１０ｂ同士を跨ぎ接続板１３へ向いた溝１９が設けられている留具１４ａと、別な留具１４ｂとが夫々、分離すべき部材１１ａ・１１ｂに、該接続板１３を介して結合されており、起爆装置２０へ繋がっている導爆線１６が、弾性樹脂１７により溝１９に埋没している。
【０００９】
この弾性樹脂１７は、シリコーン樹脂であることが好ましい。
【００１０】
導爆線１６を載置した溝１９に、シリコーン樹脂１７を充填して成型することにより、導爆線１６の埋没がされていることが好ましい。
【００１１】
導爆線１６の爆轟によって、樹脂１７の中に生じた空洞１８が膨らみ、樹脂１７が膨張する結果、樹脂１７が溝１９からはみ出し、脆弱部１２に亀裂を生じさせ、部材１１ａ・１１ｂを分離させる。
【００１２】
導爆線１６の爆轟は、接続板１３を直接、破断するほどの強い威力は必要なく、樹脂１７を膨張させる程度の比較的弱い威力があれば十分である。このような導爆線１６は、ＭＤＣ（Ｍｉｌｄ  Ｄｅｔｏｎａｔｉｎｇ  Ｃｏｒｄ）と呼ばれるもので、例えば伝爆速度が速く比較的穏やかな爆轟を生じるひも状火工品が挙げられる。より具体的には、トリメチレントリニトロアミン（ＲＤＸ）やヘキサニトロスチルベン（ＨＮＳ）が鉛製の薄い細管に充填されたものが挙げられる。このような導爆線１６は、可撓性があるので、分離すべき部材の分離端の形状や、接続板の長さ等に合わせて、適宜、任意の形状や長さに調整できる。
【００１３】
樹脂１７は、その弾性により、緩衝材として作用するので、爆轟の衝撃が測定機器のようなペイロード内包物に殆んど伝播しない。
【００１４】
脆弱部１２は、接続板１３の外側面に付され、例えばＵ字形またはＶ字形の断面を有する切込溝であるノッチが好ましい。樹脂１７は接続板１３の内側面に当接されていることが好ましい。樹脂１７の外形の膨張によって、接続板１３が反り、応力が集中的に溝１２にかかるので、脆弱部１２に一層亀裂が生じ易くなる。
【００１５】
この分離装置１を用いると、分離の際に、接続板１３の破片や導爆線１６の残渣が飛散しない。また、分離すべき部材で内包されている搭載機器が破損しない。
【００１６】
【発明の実施の形態】
以下、本発明の部材の分離装置１の実施例を詳細に説明する。
【００１７】
図１に記載の部材の分離装置１を装着した宇宙用ロケットの一部切り欠き側面図が、図２に示されている。ロケット２２の弾頭には、アルミニウム合金製の外殻カプセルが取付けられている。このカプセルは、釣鐘状で長さ約１ｍであり、対照な半身の分離可能な部材１１ａおよび１１ｂからなっている。この分離部材１１ａおよび１１ｂは、ロケットに搭載された測定機器２１を覆って保護している。
【００１８】
その弾頭近傍のＡ−Ａの一部断面図である図１（ａ）に示すように、部材１１ａおよび１１ｂは、夫々その分離端１０ａおよび１０ｂで突き合わされている。部材１１ａ・１１ｂの内側で対照に（図２参照）、アルミニウム合金製の厚さ３ｍｍの帯状の接続板１３が、分離端１０ａ・１０ｂを跨いでいる。分離端１０ａ・１０ｂに添って、接続板１３の外側面に、脆弱部である半径１ｍｍの半円のＵ字形ノッチである脆弱部１２が付されている。
【００１９】
この脆弱部１２に沿う溝１９を有する留具１４ａが、接続板１３の内側面に接している。トリメチレントリニトロアミンを１．８ｇ／ｍの量で充填されている一端が起爆装置２０に繋がっている導爆線１６が、シリコーン樹脂により、この溝１９に埋没している。
【００２０】
この埋没は、溝１９に導爆線１６を載置し、シリコーン樹脂を流し込んで、その後に固化させることにより、なされる。
【００２１】
分離すべき部材１１ａと、接続板１３と、留具１４ａとが、螺子１５ａで螺子留めされている。他方の分離すべき部材１１ｂと、接続板１３と、留具１４ｂとが、螺子１５ｂで螺子留めされて結合している。留具１４ａと別な留具１４ｂとが、一部噛み合っている。螺子１５ａ・１５ｂに代えてリベットで鋲留めしてもよい。
【００２２】
分離装置１は、以下のように動作する。
【００２３】
部材１１ａと１１ｂとを分離する際、分離開始指示回路（不図示）から出た信号により起爆装置２０が、導爆線１６の一端を起爆する。導爆線１６は、短時間で他端にまで伝爆し、爆轟を生じる。
【００２４】
すると、同図（ｂ）に示すように、シリコーン樹脂１７中にあった導爆線１６の部位で、爆轟波で生じた空洞１８が大きくなる。それに伴い弾性のあるシリコーン樹脂１７が膨張し、断面が馬蹄形となる。この樹脂１７が、填込溝１９からはみ出る。
【００２５】
はみ出たシリコーン樹脂が接続板１３を反らせ、脆弱部１２に亀裂を生じさせ、接続板１３は二つに割れる。
【００２６】
さらに、同図（ｃ）のように、矢印で示す爆轟波により、割れた接続板１３ａ・１３ｂは、遂には外側へ押し出される。部材１１ａと１１ｂとは、起爆してから約５ｍｓｅｃ間という短時間で、分離する。
【００２７】
【発明の効果】
以上、詳細に説明したように本発明の分離装置は、ロケットまたは人工衛星に搭載された機器を覆っている外殻カプセルを切り離すフェアリング分離、多段式ロケットの分離、その他の部材同士を分離する際に使用される。
【００２８】
部材を分離する際に、破片や爆薬の残渣が飛散せず、導爆線の量が少なくてすみさらに爆轟の衝撃が小さいので、搭載機器を破損しない。
【００２９】
分離に要する時間は極めて短いので、緊急用切離装置にも用いることができる。
【００３０】
導爆線が可撓的であるので分離すべき部材の分離端の形状や、接続板の長さ等に合わせて、簡便かつ確実に部材を分離することができる。
【図面の簡単な説明】
【図１】本発明を適用する部材の分離装置の実施途中を示す要部断面図である。
【図２】本発明を適用する部材の分離装置を有する宇宙用ロケットの一部切欠き側面図である。
【符号の説明】
１は部材の分離装置、１１ａ・１１ｂは分離すべき部材、１２は脆弱部、１３・１３ａ・１３ｂは接続板、１４ａ・１４ｂは留具、１５ａ・１５ｂは螺子、１６は導爆線、１７はシリコーン樹脂、１８は空洞、１９は溝、２０は起爆装置、２１は搭載機器、２２は宇宙用ロケットである。
【図１】
2004224298.tif 000003
【図２】
2004224298.tif 000004